(57)【要約】  【課題】  筒状ホルダに見合った外形形状を持つコンパクトなシャワヘッドを備えたスプレー式の湯水混合水栓を提供すること。  【解決手段】  給湯管Ｈおよび給水管Ｃからそれぞれ流入する湯および水を適宜混合して湯水混合水を供給管２ａに供給する水栓本体２と、この水栓本体２から供給される湯水混合水や水の吐水状態を切替えて吐水するシャワヘッド３と、このシャワヘッド３の上流側と前記供給管２ａの下流側とを接続する可撓管４と、シャワヘッド３を引出し可能に支持するよう水栓本体に設けられた筒状ホルダ５とを有し、更に、この筒状ホルダ５は、先端部８の開口６が下方側に向けて設けられている湯水混合水栓１において、シャワヘッド３の上流端の外径ｒが前記筒状ホルダ５の外径Ｒとほぼ同一に設定されるとともに、シャワヘッド３の外周面の少なくとも一部は、下流側に行くにつれ緩やかな末広がりのテーパ状の外形を有する。  【選択図】  図１
2005281984.tif 000002
【特許請求の範囲】
【請求項１】
給湯管および給水管からそれぞれ流入する湯および水を適宜混合して湯水混合水を供給管に供給する水栓本体と、この水栓本体から供給される湯水混合水や水の吐水状態を切替えて吐水するシャワヘッドと、このシャワヘッドの上流側と前記供給管の下流側とを接続する可撓管と、シャワヘッドを引出し可能に支持するよう水栓本体に設けられた筒状ホルダとを有し、更に、この筒状ホルダは、先端部の開口が下方側に向けて設けられている湯水混合水栓において、シャワヘッドの上流端の外径が前記筒状ホルダの外径とほぼ同一に設定されるとともに、シャワヘッドの外周面の少なくとも一部は、下流側に行くにつれ緩やかな末広がりのテーパ状の外形を有することを特徴とする湯水混合水栓。
【請求項２】
シャワヘッドの引出し時においてシャワヘッドが前記筒状ホルダから出すぎるのを制限する筒状の樹脂製ストッパが可撓管に取付けられ、更に、このストッパが二つの半割り体で形成されるとともに、可撓管の外周面に形成された螺旋溝に嵌まり込む突条が、それぞれ前記半割り体の内周面に設けられ、また、一方の半割り体には係止部、他方の半割り体には被係止部が設けられている請求項１に記載の湯水混合水栓。
【発明の詳細な説明】
【技術分野】
【０００１】
この発明は、湯水混合水栓に関するものである。
【背景技術】
【０００２】
本出願人は、図４に示すように、給湯管および給水管からそれぞれ流入する湯および水を適宜混合して湯水混合水を供給管５０に供給する水栓本体５１と、この水栓本体５１から供給される湯水混合水や水の吐水状態を切替えて吐水するシャワヘッド５２と、このシャワヘッド５２の上流側と供給管５０の下流側とを接続する可撓管５３と、シャワヘッド５２を引出し可能に支持するよう水栓本体５１に設けられた筒状ホルダ５４とを有する、流し台設置用のスプレー式の湯水混合水栓５５を提案している（特願２００２−３１６６２６号、ただし、いわゆる公知公用ではない。）。前記シャワヘッド５２は、グリップ部５２ａと、このグリップ部５２ａの下流側に設けた吐水口本体５６とよりなり、吐水口本体５６は縦断面略釣鐘状のカバー体５７で覆われており、回転操作により散水と直放水の二つの吐水状態に切替える回転式切替操作具５８を有する。前記シャワヘッド５２は、筒状ホルダ５４に接続されたシャワ受け５９から引出されるとともに、筒状ホルダ５４の先端部の開口ａは、図５に示した流し台設置用のスプレー式の湯水混合水栓５５に備わっている筒状ホルダ５４の先端部の開口ｂのように水平よりやや上に向いているのではなく、水平よりやや下に向いている。なお、図５において、図４に示した符号と同一のものは、同一または相当物である。
【発明の開示】
【発明が解決しようとする課題】
【０００３】
しかし、図４に示した湯水混合水栓５５のシャワヘッド５２の外形は大型であり、筒状ホルダ５４の形状とは必ずしもマッチしているとは言い難い。また、図６に示すような前面にシーソー式の切替操作具（ボタン）６０を持つ大型のシャワヘッド５２を備えた流し台設置用のスプレー式の湯水混合水栓５５でも同様の問題があり、筒状ホルダ５４に見合った外形形状を持つコンパクトなシャワヘッドが望まれる。なお、図６において、図４に示した符号と同一のものは、同一または相当物であり、６１は、流し台のシンクである。
【０００４】
この発明は、上述の事柄に留意してなされたもので、その目的は、筒状ホルダに見合った外形形状を持つコンパクトなシャワヘッドを備えたスプレー式の湯水混合水栓を提供することである。
【課題を解決するための手段】
【０００５】
上記目的を達成するために、この発明の湯水混合水栓は、給湯管および給水管からそれぞれ流入する湯および水を適宜混合して湯水混合水を供給管に供給する水栓本体と、この水栓本体から供給される湯水混合水や水の吐水状態を切替えて吐水するシャワヘッドと、このシャワヘッドの上流側と前記供給管の下流側とを接続する可撓管と、シャワヘッドを引出し可能に支持するよう水栓本体に設けられた筒状ホルダとを有し、更に、この筒状ホルダは、先端部の開口が下方側に向けて設けられている湯水混合水栓において、シャワヘッドの上流端の外径が前記筒状ホルダの外径とほぼ同一に設定されるとともに、シャワヘッドの外周面の少なくとも一部は、下流側に行くにつれ緩やかな末広がりのテーパ状の外形を有する。
【発明の効果】
【０００６】
この発明では、シャワヘッドの上流端の外径が前記筒状ホルダの外径とほぼ同一に設定されるとともに、シャワヘッドの外周面の少なくとも一部は、下流側に行くにつれ緩やかな末広がりのテーパ状の外形を有することから、筒状ホルダに見合った外形形状を持つコンパクトなシャワヘッドを備えたスプレー式の湯水混合水栓を提供することができる。
【発明を実施するための最良の形態】
【０００７】
以下、この発明の実施形態を、図を参照しながら説明する。なお、それによってこの発明は限定されるものではない。
【０００８】
図１、図２は、この発明の一実施形態を示す。
図１、図２において、流し台設置用のスプレー式の湯水混合水栓１は、給湯管Ｈおよび給水管Ｃから流入する湯および水を適宜混合して湯水混合水を混合水供給管２ａに供給する水栓本体２と、水栓本体２から供給される混合水、あるいは、水を吐水するシャワヘッド３と、このシャワヘッド３の上流側と供給管２ａの下流側を接続する可撓管４と、シャワヘッド３を先端部８から引出し可能に支持するよう水栓本体２に設けられ可撓管４が挿通可能な筒状ホルダ５とを有している。
前記筒状ホルダ５は、所定長さの薄肉のパイプのほぼ中央部を湾曲させたもので、前記可撓管４が移動可能に挿通される程度の穴径（内径）を有するとともに、全長にわたり同一外径Ｒに形成されており、水栓本体２の上面に設けた取付け穴２ｃから上方に延びる垂直部７と、円形の開口６が下方側に向けて設けられている前記先端部（下流端部）８と、前記垂直部７と先端部（下流端部）８をつなぐ湾曲部９とからなる。すなわち、筒状ホルダ５の前記開口６の開口平面に対して垂直に横切る垂線Ａ（図１に点線で示す）と、床面に平行な水平線（図１に点線で示す）Ｂとが任意の傾斜角θを有するよう水平よりやや下に向いている。傾斜角θは鋭角である。
【０００９】
一方、前記シャワヘッド３は、中間部に可撓管４との接続部分が内蔵されているグリップ部１０と、このグリップ部１０の下流側に設けた吐水口本体１１とよりなり、シャワヘッド３の外周面の全部が、下流側に行くにつれ緩やかな末広がりのテーパ状の外形を有している。すなわち、グリップ部１０の上流端の外径ｒが前記筒状ホルダ５の外径Ｒとほぼ同一に設定されており、グリップ部１０は、上流端から下流側に行くにつれ緩やかな末広がりのテーパ状の外形を有する。ｒ’は、グリップ部１０の下流端の外径で、ｒ’＞ｒである。
【００１０】
また、吐水口本体１１は、グリップ部１０の軸心まわりの回転操作により散水と直放水の二つの吐水状態に切替える回転式切替操作具１２を備えており、この回転式切替操作具１２は、ほぼ筒状で、グリップ部１０から外側に露出する大径前部１２ａと、大径前部１２ａに連設され切替え操作により前記大径前部１２ａと共に回転する大径前部１２ａ小径後部とよりなり、小径後部はグリップ部１０の下流端で前記接続部分の直下流側に回転自在に取り付けられている。そして、吐水口本体１１は、回転式切替操作具１２の前記大径前部１２ａにおける上流端の外径ｒ’’がグリップ部１０の下流端の外径ｒ’とほぼ同一に設定されており、前記大径前部１２ａは、前記上流端から下流側に行くにつれ緩やかな末広がりのテーパ状の外形を有する。回転式切替操作具１２の前記大径前部１２ａの外周面には、すべり難くして回転操作を容易にするよう複数のセレーションＳが形成されている。
【００１１】
１４は、混合水供給管２ａに供給される湯水の混合比と止水を含む吐水量の調整を行う操作部材である。前記水栓本体２は、シンクの取付面部１６に設けた一つの貫通穴に嵌込まれた後固定されている筒状の取付部材１７を介して取付面部１６上に取付けられており、この取付部材１７内に給湯管Ｈ、給水管Ｃおよび混合水供給管２ａが挿通されている。取付部材１７は外周に雄ねじＰを有する一方、取付部材１７は、取付面部１６の下面で貫通穴の周面に当接するパッキンを介して取付面部１６の下面側から雄ねじＰに螺合する座金１９によって取付面部１６に固定されている。１７ａは、取付部材１７の下方開口部である。  
【００１２】
２０は、筒状の樹脂製ストッパである。この樹脂製ストッパ２０は、可撓管４の所定位置に取付けられている。この所定位置とは、シャワヘッド３の引出し時においてシャワヘッド３が筒状ホルダ５から出すぎるのを制限できる位置である。更に、前記樹脂製ストッパ２０は、二つの半割り体２１，２２で形成され、かつ、二つの半割り体２１，２２は薄肉の上下一対のヒンジ部２６，２７で連結されている。そして、可撓管４の外周面４ａに当接しながら可撓管４を覆うための半円状切欠２９および３０が、それぞれ半割り体２１および２２の各対称位置に設けられている。
【００１３】
一方の半割り体２１および他方の半割り体２２には、それぞれ、可撓管４の外周面４ａに形成された螺旋溝２３に嵌まり込む所定の傾斜角度を有する一本の突条２４および２５が内周面２１ａおよび２２ａに設けられている。一方の半割り体２１は、内周面２１ａを有する半割り体本体と、取付部材１７の下方開口部１７ａの環状の下面１７ａ’に当接する大きさを有し、半割り体本体の上下端面から水平状態で外向きに突出する円弧状の上下フランジ３６，３７よりなる。また、他方の半割り体２２は、内周面２２ａを有する半割り体本体と、取付部材１７の下方開口部１７ａの環状の下面１７ａ’に当接する大きさを有し、半割り体本体の上下端面から水平状態で外向きに突出する円弧状の上下フランジ３８，３９よりなる。また、半割り体２１および２２同士の係止手段が、一方の半割り体２１に設けた係止孔（被係止部）３２および係止爪（係止部）３３と、他方の半割り体２２に設けられ、これら係止孔３２および係止爪３３にそれぞれ係合する係止爪（係止部）３４および係止孔（被係止部）３５とよりなる。係止孔３２および係止爪３３は、半割り体２１の半割り面部２１ａの上下位置に形成され、また、係止爪３４および係止孔３５は、半割り体２２の半割り面部２２ａの上下位置に形成されている。
【００１４】
而して、可撓管４の外周面４ａに形成された螺旋溝２３に一方の半割り体２１の突条２４および他方の半割り体２２の突条２５を嵌まり込ませながら、一方の半割り体２１の係止孔３２に他方の半割り体２２の係止爪３４を係合させるとともに、他方の半割り体２２の係止孔３５に一方の半割り体２１の係止爪３３を係合させるだけの簡単な取付作業で樹脂製ストッパ２０を可撓管４の所定位置に取付けできる。すなわち、半割り体２１および２２同士の係止手段を、従来のように重り１０６とは別体の二本のねじを用いることなく、半割り体２１および２２自体に一体的に設けたので、図４、図５に示した流し台設置用のスプレー式の湯水混合水栓５５のようにねじで重たい鉛製の重り１０６を締付けるようなことはなく、作業性を向上させることができる。また、樹脂製ストッパ２０は、鉛製の重り１０６に比してコスト安である。そして、シャワヘッド３の引出し時においては、図１に示す状態から、図２に示すように、取付部材１７の下方開口部１７ａの方向（Ｊ方向）に可撓管４と共に樹脂製ストッパ２０が可撓管４に固定された状態で移動し、その後、一方の半割り体２１の上フランジ３６と他方の半割り体２２の上フランジ３８が下方開口部１７ａの環状の下面１７ａ’に当接するので、シャワヘッド３が筒状ホルダ５から出すぎるのを阻止できる。
【００１５】
図３は、シャワヘッド３のグリップ部１０の下面の形状を、グリップ部１０の上流側から下流側にわたり波型形状にし、それによって、シャワヘッド３を握り易くしたこの発明の他の実施形態を示す。図３において、図１、図２に示した符号と同一のものは同一または相当物である。図３において、４０は、シャワヘッド３のグリップ部１０の下面に、グリップ部１０の上流側から下流側にわたり設けた波型形状の凹凸部分である。
【図面の簡単な説明】
【００１６】
【図１】この発明の一実施形態における使用状態を示す全体斜視図である。
【図２】上記実施形態で用いた樹脂製ストッパの取付動作を説明するための要部構成説明図である。
【図３】この発明の他の実施形態における使用状態を示す全体斜視図である。
【図４】従来例を示す全体構成説明図である。
【図５】他の従来例を示す全体構成説明図である。
【図６】更に他の従来例を示す全体構成説明図である。
【符号の説明】
【００１７】
１      湯水混合水栓
Ｈ      給湯管
Ｃ      給水管
２      水栓本体
３      シャワヘッド
２ａ    供給管
４      可撓管
５      筒状ホルダ
８      先端部
６      開口
ｒ      シャワヘッドの上流端の外径
Ｒ      筒状ホルダの外径
【図１】
2005281984.tif 000003
【図２】
2005281984.tif 000004
【図３】
2005281984.tif 000005
【図４】
2005281984.tif 000006
【図５】
2005281984.tif 000007
【図６】
2005281984.tif 000008